(57)【要約】【課題】融雪パネルを設置領域の広さに合わせて容易に増設できるようにした融雪装置を提供する。【解決手段】支持部材１４を横設した枠体１６及びこの枠体１６を挟むように平行に配設された２枚の覆い板１８により形成されたパイプ収納体２４と、架橋ポリエチレンからなる内層管２８、アルミニウムからなる中層管３０、ポリエチレン又は架橋ポリエチレンからなる外層管３２の三層構造からなり、パイプ収納体２４内に蛇行状に湾曲されて配設された温水パイプ２６と、温水パイプ２６の端部に接続されたコネクタ３６とにより融雪パネル１２が構成されている。融雪パネル１２の複数が併設されると共に、各融雪パネル１２内に温水又は不凍液を送り込む送水機構３４を配設した。【選択図】図１
0003134966.tif 000002
【実用新案登録請求の範囲】
【請求項１】
中間部に支持部材を横設した枠体及び前記枠体を挟むように平行に配設された２枚の覆い板により箱形に形成されたパイプ収納体と、架橋ポリエチレンからなる内層管、アルミニウムからなる中層管、ポリエチレン又は架橋ポリエチレンからなる外層管の三層構造からなり、前記パイプ収納体内に蛇行状に湾曲されて配設された温水パイプと、前記温水パイプの端部に接続され、かつ前記パイプ収納体の外側面に突出して配設されたコネクタとにより融雪パネルを構成し、
前記融雪パネルの複数枚を併設すると共に、各融雪パネルの前記温水パイプを前記コネクタを介して一連続に接続し、
前記温水パイプに、温水又は不凍液を送り込む送水機構を連結したことを特徴とする融雪装置。
【請求項２】
請求項１に記載の融雪装置において、
前記支持部材には、蛇行状に配設された前記温水パイプを弾力で把持する複数のＣ字型止め具を適当間隔を置いて配設したことを特徴とする融雪装置。
【請求項３】
請求項１又は２に記載の融雪装置において、
前記矩形枠体には外側面に突出する取付け用舌片を設けたことを特徴とする融雪装置。
【考案の詳細な説明】
【技術分野】
【０００１】
本考案は、特に建築物の屋根上に設置されて使用するのに好適な融雪装置に関する。
【背景技術】
【０００２】
従来この種の融雪装置として、数多くの提案がなされている。例えば、温水パイプを蛇行状に湾曲配設した融雪パネルを構成し、温水パイプに温水等の液体を循環させる送水機構を付設した融雪装置がある（特許文献１参照）。
【特許文献１】特開２０００−３４９０９５号公報
【考案の開示】
【考案が解決しようとする課題】
【０００３】
上記融雪装置は、融雪パネルを屋根の斜面に沿って配設して使用されるが、１枚の融雪パネル毎に温水パイプの両端が送水機構に直結している構成であるため、融雪パネルを屋根の広さに合わせて増設する場合には別途連結用パイプを用意し、送水機構から切り離した温水パイプの端部に連結用パイプを着実に接続しなければならないため、その作業が煩雑であった。
本考案は上記の課題を解決するためになされたもので、融雪パネルを設置領域の広さに合わせて自在かつ容易に増設できるようにした融雪装置を提供することを目的とする。
【課題を解決するための手段】
【０００４】
以下の構成はそれぞれ上記の課題を解決するための手段である。
〈構成１〉
中間部に支持部材を横設した枠体及び上記枠体を挟むように平行に配設された２枚の覆い板により箱形に形成されたパイプ収納体と、架橋ポリエチレンからなる内層管、アルミニウムからなる中層管、ポリエチレン又は架橋ポリエチレンからなる外層管の三層構造からなり、上記パイプ収納体内に蛇行状に湾曲されて配設された温水パイプと、上記温水パイプの端部に接続され、かつ上記パイプ収納体の外側面に突出して配設されたコネクタとにより融雪パネルを構成し、上記融雪パネルの複数枚を併設すると共に、各融雪パネルの上記温水パイプを上記コネクタを介して一連続に接続し、上記温水パイプに、温水又は不凍液を送り込む送水機構を連結したことを特徴とする融雪装置。
【０００５】
各融雪パネルにはコネクタが配設されているので、複数の融雪パネルを融雪領域に応じて設置して各融雪パネルの温水パイプを簡単に一連続に連通できる。温水パイプは、架橋ポリエチレンからなる内層管、アルミニウムからなる中層管、ポリエチレン又は架橋ポリエチレンからなる外層管の三層構造であるため、耐寒性、耐熱性（−４０〜９５℃）、耐蝕性、耐酸性（錆が発生し難い）、耐塩素性、電気絶縁性（電蝕起こらない）が良好で、軽くて柔軟であり、施工が簡単にできる。
【０００６】
〈構成２〉
構成１に記載の融雪装置において、上記支持部材には、蛇行状に配設された上記温水パイプを弾力で把持する複数のＣ字型止め具を適当間隔を置いて配設したことを特徴とする融雪装置。
【０００７】
温水パイプをＣ字型止め具に嵌め込むだけで簡単に取付けることができ、かつ常時定間隔に保持できる。
【０００８】
〈構成３〉
構成１又は２に記載の融雪装置において、上記矩形枠体には外側面に突出する取付け用舌片を設けたことを特徴とする融雪装置。
【０００９】
取付け用舌片を使って簡単に設置できる。
【考案を実施するための最良の形態】
【００１０】
以下、本考案の実施の形態を実施例毎に詳細に説明する。
【実施例１】
【００１１】
図１は実施例１の融雪装置１０を示す斜視図、図２は同融雪装置を構成する融雪パネルを示す平面図、図３は同融雪パネルに配設される温水パイプを示す斜視図、図４は同融雪パネルの外観の一部を示す斜視図、図５は同融雪パネルの側面図である。
【００１２】
融雪装置１０は、図に示すように、複数枚の融雪パネル１２を同一平面状に併設すると共に、各融雪パネルの温水パイプ２６を一連続に接続し、各温水パイプ２６内に温水を送り込む送水機構３４を連結したものである。送水機構３４は、図示を省略したが、任意量の水又は不凍液を貯留するタンク又はパイプと、このタンク又はパイプ内の水等を適当な温度に加熱する加熱機構と、加熱された水等を温水パイプ２６に送り込むポンプとを備える周知のものである。
【００１３】
融雪パネル１２は、偏平な箱形に形成されたパイプ収納体２４と、このパイプ収納体２４内に蛇行状に湾曲されて配設された温水パイプ２６と、温水パイプ２６の端部に接続されたコネクタ３６とにより構成されている。パイプ収納体２４は、中間部に複数本の支持部材１４を横設した矩形状の枠体１６と、この枠体１６を両側から挟むように平行に配設された２枚の覆い板１８とにより構成されている。
【００１４】
温水パイプ２６は、図３に示すように、架橋ポリエチレンからなる内層管２８、アルミニウムからなる中層管３０、ポリエチレン又は架橋ポリエチレンからなる外層管３２の三層構造となっている。温水パイプ２６は、支持部材１４上に配置され、予め支持部材１４に取付けられている複数のＣ字型止め具４４により止められている。Ｃ字型止め具４４は、蛇行状に配設された温水パイプ２６を弾力で把持するもので、支持部材１４に適当間隔を置いて配設されている。温水パイプ２６をＣ字型止め具４４に嵌め込むだけで簡単に取付けることができ、かつ常時定間隔に保持できる。
【００１５】
温水パイプ２６の端部に接続されたコネクタ３６は、温水パイプ２６の端部にクランプ３８を介して連結され、パイプ収納体２４の外側面に突出するように配設されている。対向する複数の融雪パネル１２の各温水パイプ２６はコネクタ３６を介して連通されている。クランプ３８は、コネクタ３６の、温水パイプ２６の端部に差し込まれた部分を温水パイプ２６の外周から押圧する、周知のリング状金具である。
【００１６】
パイプ収納体２４を構成する２枚の覆い板１８と矩形状の枠体１６とは、鉄、アルミニウム等の熱伝導性が良好で機械的強度がよい金属材料からなるものが好ましい。温水パイプ２６の最外側の端部にはコネクタ３６を介して送水機構３４の配管３５Ａ、３５Ｂが連結され、温水が各温水パイプ２６内と送水機構３４内を循環できるようにされている。
【００１７】
２枚の覆い板１８と枠体１６とは、図４、図５に示したように、保持部材２０により堅固に押えられている。保持部材２０は、枠体１６の両側面と覆い板１８の底面及び両側面に沿うようにＵ字状に折り曲げられたＵ字状板２１とＵ字状板２１の両端に連結される押え板２２とにより構成されている。Ｕ字状板の一端縁２１Ａは、外方に直角に折り曲げられている。この一端縁２１Ａと押え板の一端部２２Ａとの重ね合わせ部分にボルト挿入孔（図示せず）が設けられ、この挿入孔にボルト２３Ａが取付けられている。
【００１８】
Ｕ字状板の他端部２１Ｂには貫通孔２１Ｃ（図４）が設けられ、この貫通孔２１Ｃに押え板の他端部２２Ｂが挿入されている。この他端部２２Ａは縮小幅に形成されている。Ｕ字状板２１は、Ｕ字状板２１の側面から枠体１６にねじ込まれたボルト２３Ｂにより枠体１６に着脱自在に固定されている。なお、保持部材２０はこのような構造に限らない。枠体１６と２枚の覆い板１８とをしっかり押え得るものであれば任意の構造のものを使用できる。
【００１９】
図６には融雪パネルの各温水パイプ２６のコネクタ３６間にソケット４０を取付けた例を示している。ソケット４０は、対向する各温水パイプ２６を連通するものである。
図７には融雪パネルの各温水パイプ２６のコネクタ３６間に開閉弁４２を取付けた例を示している。開閉弁４２を取付けることにより、対向する各温水パイプ２６を一時的に遮断できる。
【００２０】
矩形枠体１６の複数箇所に、外側面に突出する取付け用舌片４６が設けられている。取付け用舌片４６には貫通孔４６Ａが設けられている。融雪パネルの取付け時に貫通孔４６Ａに釘、ねじ等を差し込むことにより、融雪パネルを簡単かつ堅固に設置できる。
【図面の簡単な説明】
【００２１】
【図１】実施例１の融雪装置を示す斜視図である。
【図２】同融雪装置を構成する融雪パネルを示す平面図である。
【図３】同融雪パネルに配設される温水パイプを示す斜視図である。
【図４】同融雪パネルの外観の一部を示す斜視図である。
【図５】同融雪パネルの側面図である。
【図６】併設された複数の融雪パネルの各温水パイプの接続部分を示す説明図である。
【図７】温水パイプの接続部分の他の例を示す説明図である。
【符号の説明】
【００２２】
１０  融雪装置
１２  融雪パネル
１４  支持部材
１６  枠体
１８  覆い板
２０  保持部材
２１  Ｕ字状板
２２  押え板
２４  パイプ収納体
２６  温水パイプ
２８  内層管
３０  中層管
３２  外層管
３４  送水機構
３６  コネクタ
３８  クランプ
４０  ソケット
４２  開閉弁
４４  Ｃ字型止め具
４６  取付け用舌片
【図１】
0003134966.tif 000003
【図２】
0003134966.tif 000004
【図３】
0003134966.tif 000005
【図４】
0003134966.tif 000006
【図５】
0003134966.tif 000007
【図６】
0003134966.tif 000008
【図７】
0003134966.tif 000009